(57)【要約】【課題】コイルを巻く手間が少なく、また、コイルの積層巻がないため、嵩張らず、コンパクトにできる６相出力の変圧器を提供する。【解決手段】６相の出力を有する変圧器において、巻線をデルタ結線とし、当該デルタ結線のコイル間夫々に一次側の３相の入力端子を設け、当該デルタ結線の３つのコイルの夫々のコイルにおける２箇所から２次側端子を取り出し、これらの６個の２次側端子は、前記各入力端子を挟んで相互に３０度位相をずらした箇所から夫々取り出した。【選択図】      図１
2019046934.tif 000002
【特許請求の範囲】
【請求項１】
６相の出力を有する変圧器において、
一巻線をデルタ結線とし、当該デルタ結線のコイル間夫々に一次側の３相の入力端子を設け、当該デルタ結線の３つのコイルの夫々のコイルにおいて、所定の角度に位相をずらせた箇所からそれぞれ２つの２次側の出力端子を取り出した構成としたことを特徴とする、６相変圧器。
【請求項２】
前記夫々のコイルの２箇所からの２次側端子は、前記各入力端子を挟んで相互に３０度位相をずらした箇所から取り出したことを特徴とする、請求項１に記載の６相変圧器。
【発明の詳細な説明】
【技術分野】
【０００１】
この発明は、変圧器に関するもので、特に３相交流を６相交流に変換する変圧器に関するものである。
【背景技術】
【０００２】
従来、３相交流電源を整流器に通して全波整流を行い、直流に変換しているが、３相交流の場合、直流に変換した際、電圧が平滑化されず、揺れの大きい脈流となってしまう。そこで、変圧器により３相交流を６相交流に変換した後、整流することにより揺れの小さな直流電圧にする方法が採られている。
【０００３】
その例としては、特許文献１のものが挙げられる。ここでは、１組の鉄芯に星形（スター結線）と三角形（デルタ結線）の２次巻線を有し、負荷時タップ切換器を付属する整流器用変圧器が記載されている。
【０００４】
この様な変圧器では、図７に示すように、一次側をデルタ結線とし、二次側を同相のデルタ結線及び３０度位相をずらしたスター結線とするか、一次側をスター結線、二次側を同相のスター結線及び３０度位相をずらしたデルタ結線とし、それぞれ、鉄芯の外周に一巻線、及び２つの二次巻線を夫々絶縁して巻き付けている。
【先行技術文献】
【特許文献】
【０００５】
【特許文献１】実開昭６２−８１４９０号公報
【発明の開示】
【発明が解決しようとする課題】
【０００６】
しかしながら、これらの従来例では、１個の鉄芯に１次巻線、２次巻線の２種類の結線の巻線を多重に積層するため、巻線作業の手間がかかるとともに、組み立てた外径が大きくなり、コイル部分が嵩張ったものとなる。    
【０００７】
そこで、この発明は、これらの点に着目し、コイルを巻く手間が少なく、また、コイルの積層巻がないため、嵩張らず、コンパクトでコストも低減できる６相出力の変圧器を提供することを目的としたものである。
【課題を解決するための手段】
【０００８】
請求項１の発明は、６相の出力を有する変圧器において、一次巻線をデルタ結線とし、当該デルタ結線のコイル間夫々に一次側の３相の入力端子を設け、当該デルタ結線の３つのコイルの夫々のコイルにおいて、所定の角度に位相をずらせた箇所からそれぞれ２つの２次側の出力端子を取り出した６相変圧器とした。
【０００９】
また、請求項２の発明は、前記夫々のコイルの２箇所からの２次側端子は、前記各入力端子を挟んで相互に３０度位相をずらした箇所から取り出した、請求項１に記載の６相変圧器とした。
とした。
【発明の効果】
【００１０】
請求項１及び２の発明によれば、６相の出力を有するにもかかわらず、二次巻線等を有しないため、巻線の数が少なく、製作上、コイルの巻工程が少なくて済み、製作コストを削減できる。また、コイルを多重に積層して巻く必要がないため、小型化し、コンパクトな変圧器が得られる。その結果、出力された６相の交流電圧を直流に変換した場合に、平坦な直流電圧を得ることができる。
【００１１】
また、特に請求項２の発明によれば、整流した際の出力波形がすべて３０度の位相差のものが得られ、より平滑化した直流電圧を得られやすい。
【図面の簡単な説明】
【００１２】
【図１】この発明の実施の形態例１の６相変圧器の概略構成図である。
【図２】この発明の実施の形態例１の６相変圧器の回路図である。
【図３】この発明の実施の形態例１の６相変圧器の巻線のベクトル図である。
【図４】この発明の実施の形態例１の６相変圧器の入出力電圧値を示す図表である。
【図５】この発明の実施の形態例１の６相変圧器の入出力波形図であり、（ａ）図はデルタ結線上の３相の入力端子の位置と入力波形図、（ｂ）図は６相の出力端子の位置と出力波形図ある。
【図６】この発明の実施の形態例１の６相変圧器の出力電力を整流手段により整流した状態の波形図であり、（ｃ）図は、６相の出力電圧を整流した状態の波形図、（ｄ）図は、さらに平滑化した状態の直流電圧の波形図である。
【図７】従来の２種類の６相変圧器のベクトル図である。
【発明を実施するための形態】
【００１３】
（実施の形態例１）
以下、この発明の実施の形態例１の６相変圧器を図に基づいて説明する。
【００１４】
図１〜図３に示すように、まず、この実施例１の６相変圧器１は一次巻線をデルタ結線に形成し、３相、即ちＲ相、Ｓ相、Ｔ相の入力端子を設ける。Ｒ相の入力端子とＳ相の入力端子の間のコイル２、Ｓ相の入力端子とＴ相の入力端子の間のコイル３、Ｔ相の入力端子とＲ相の入力端子の間のコイル４の夫々に２つの出力端子、合計６個の出力端子１ｕ、２ｕ、１ｖ、２ｖ、１ｗ、２ｗを設ける。図１中、５は入力端子台、６は出力端子台、ＦＧは接地線の接地端子を示す。
【００１５】
また、上記コイルの結線は図３に示すように、前記デルタ結線の正三角形の中心を中心軸とした円と前記正三角形の各辺との２個の接点箇所を夫々出力端子としたもので、前記正三角形の各頂点を中心に左右それぞれに１５度ずつずれた箇所に、１ｕと２ｕ、１ｖと２ｖ、１ｗと２ｗとして各出力端子を設けたものである。従って、１ｕと２ｕ、１ｖと２ｖ、１ｗと２ｗとは夫々相互に３０度の位相差を有している。
【００１６】
上記図３の、二次側の出力端子を有する円の大きさは、前記デルタ結線の正三角形の各辺と２箇所で接する円であれば、大きさは任意であるが、円の半径が小さくなると出力電圧は小さくなる。
【００１７】
また上記６相変圧器１を用いて複数の異なる電圧を入力した場合の出力電圧を計算した結果を図４に示す。この結果から、入力電圧に対して出力電圧は約６．９割と電圧が下がっているが、当該電圧の減少幅を予め計算しておけば、種々の用途に使用できる。特に人が触れやすい場所にある電気機器等においては、電圧が低い方が感電した場合でも被害を少なくすることができる。
【００１８】
また、上記６相変圧器１の入力波形と出力波形を図５に示す。（ａ）図はこの６相変圧器１の３相の入力波形を表し、（ｂ）図は６相の出力波形を示す。
【００１９】
当該図５の（ｂ）図の出力波形の６相交流電圧を、図６の（ｃ）図に示すように、ダイオードから成る２つの整流器にかけると、マイナス部分がプラスに変換されて各３０度ずれた波形が並び、これをさらにＬＣから成る平滑回路に通すことにより、図６の（ｄ）図のように略直線化された直流電圧が得られる。
【００２０】
この様に、この実施の形態例１の６相変圧器１は、巻線が少なく、多重に積層する必要がなく、コイルを巻く工程が少なく、製作コストを抑え、コンパクトな変圧器となっている。
【符号の説明】
【００２１】
１      ６相変圧器                ２      コイル
３      コイル                    ４      コイル
５      入力端子台                ６      出力端子台
Ｒ      Ｒ相入力端子              Ｓ      Ｓ相入力端子
Ｔ      Ｔ相入力端子              ＦＧ    接地端子
１ｕ、２ｕ、１ｖ、２ｖ、１ｗ、２ｗ        出力端子
【図１】
2019046934.tif 000003
【図２】
2019046934.tif 000004
【図３】
2019046934.tif 000005
【図４】
2019046934.tif 000006
【図５】
2019046934.tif 000007
【図６】
2019046934.tif 000008
【図７】
2019046934.tif 000009